(57)【要約】      （修正有）【課題】壁面に貼り付けられる吸音材・断熱材が様々な厚みに設定された場合でも対応可能な配管支持具用台座を提供する。【解決手段】吸音材・断熱材が貼り付けられた壁面に、配管・配線を配設支持する配管支持具を取付ける台座１において、台座１が、壁面に固定される固定板２１と、固定板２１から立設する支持筒体２２と、を有する壁面固定部２と、配管支持具が固定されるフランジ板３１と、フランジ板３１から垂設するスライド筒体３２と、を有する配管支持具固定部３と、を有し、支持筒体２２とスライド筒体３２のいずれか一方が他方に重層状態に挿通されて高さ調節可能にスライドする構成であり、内側に挿通される筒体が正円筒体であり且つその外周面に円環状に設けられた係止部３３と、外側に位置する筒体が正多角形筒体であり且つその内側面に設けられた被係止部２４とが係合係止して吸音材・断熱材の表面と略同等高さに配管支持具を取付ける。【選択図】図１
2020051511.tif 000002
【特許請求の範囲】
【請求項１】
クッション性を有する吸音材・断熱材が貼り付けられた壁面に、配管・配線を配設支持する配管支持具を前記吸音材・断熱材の厚みを考慮した状態で取付けるための配管支持具用台座において、
配管支持具用台座が、
ボルトやネジの如き固定手段により壁面に固定される固定板と、該固定板から立設する支持筒体と、を有する壁面固定部と、
配管支持具が載置状態で固定されるフランジ板と、該フランジ板から垂設するスライド筒体と、を有する配管支持具固定部と、
を有し、
前記支持筒体、前記スライド筒体、の構成が、
（１）前記支持筒体が正多角形筒体であると共に、前記スライド筒体が正円筒体であり、前記支持筒体の内側にスライド筒体が重層状態で挿通され、スライド筒体の外周面が支持筒体を構成する多角形筒体の各面の中心線部分に外接する構成、
又は、
（２）前記スライド筒体が正多角形筒体であると共に、前記支持筒体が正円筒体であり、前記スライド筒体の内側に支持筒体が重層状態で挿通され、支持筒体の外周面がスライド筒体を構成する多角形筒体の各面の中心線部分に外接する構成、
のいずれかであり、
前記フランジ板の高さ位置が前記吸音材・断熱材の表面と略同等高さとなるように前記支持筒体に対して前記スライド筒体が高さ調節可能にスライドする構成であり、
前記支持筒体と前記スライド筒体の内、内側に挿通される正円筒体の外周面であって筒体長さ方向の少なくとも一部の円周の略全域に亘って円環状の凸部又は凹部から成る係止部が設けられ、外側となる正多角形筒体の各面の内側であって前記係止部に接する筒体長さ方向の中心線部分に沿って前記係止部を係止する凹部又は凸部から成る被係止部が設けられており、
前記支持筒体に対して前記スライド筒体を、前記吸音材・断熱材の厚みに応じて厚み方向に摺動移動させて任意の位置まで移動させることにより、前記吸音材・断熱材の表面と略同等高さに配管支持具を取付けることを可能とする構成であること、
を特徴とする配管支持具用台座。
【請求項２】
前記正多角形筒体が、正三角形筒体、正四角形筒体、正五角形筒体、正六角形筒体、正八角形筒体のいずれかであることを特徴とする請求項１に記載の配管支持具用台座。
【請求項３】
前記係止部の凸部が、前記支持筒体又は前記スライド筒体に環状ワッシャーや環状パッキンの如き環状の他部材を取付固定して形成された構成であることを特徴とする請求項１又は２に記載の配管支持具用台座。
【請求項４】
前記係止部及び／又は被係止部の凸部が、前記支持筒体又は前記スライド筒体にネジ頭やナットの如き他部材を取付固定して形成された構成であることを特徴とする請求項１又は２に記載の配管支持具用台座。
【請求項５】
前記係止部及び／又は被係止部の凸部が、前記支持筒体又は前記スライド筒体の一部を突出状態に突起加工して形成された構成であることを特徴とする請求項１又は２に記載の配管支持具用台座。
【請求項６】
前記係止部及び／又は被係止部の凸部が、前記支持筒体又は前記スライド筒体の一部を切起して形成された構成であることを特徴とする請求項１又は２に記載の配管支持具用台座。
【請求項７】
前記係止部及び／又は被係止部の凹部が、前記支持筒体又は前記スライド筒体の一部を凹状に凹ませて形成された構成であることを特徴とする請求項１又は２に記載の配管支持具用台座。
【請求項８】
前記係止部及び／又は被係止部の凹部が、前記支持筒体又は前記スライド筒体の一部を切削して形成された構成であることを特徴とする請求項１又は２に記載の配管支持具用台座。
【発明の詳細な説明】
【技術分野】
【０００１】
本発明は配管支持具用台座に関し、詳しくはクッション性を有する吸音材・断熱材が貼り付けられた壁面に、配管・配線を配設支持する配管支持具を前記吸音材・断熱材の厚みを考慮した状態で取付けるための配管支持具用台座に関する。
【背景技術】
【０００２】
吸音材・断熱材が貼り付けられた壁面に、配管・配線を配設支持する配管支持具を取付けるための台座としては、例えば、特許文献１に記載の技術等が知られている。
【０００３】
特許文献１に記載の技術によれば、壁面に貼られた吸音材・断熱材に形成した挿入穴に台座を挿入し、この台座の固定板を壁面にボルトやネジの如き固定手段により固定し、前記吸音材・断熱材の表面と略同等高さに位置するフランジ板に配管支持具を載置した状態で取付固定することができる。
【先行技術文献】
【特許文献】
【０００４】
【特許文献１】意匠登録第１５６９８８０号公報
【発明の概要】
【発明が解決しようとする課題】
【０００５】
しかし特許文献１に記載の技術では、施工場所の設計条件に応じて吸音材・断熱材の厚みが様々な厚みに設定された場合、この吸音材・断熱材の様々な厚み毎に適した複数種類の高さの台座を用意しなければならないという問題点を有している。
【０００６】
そこで本発明の課題は、壁面に貼り付けられる吸音材・断熱材が様々な厚みに設定された場合であっても対応可能な配管支持具用台座を提供することにある。
【課題を解決するための手段】
【０００７】
上記課題を解決する本発明は下記構成を有する。
【０００８】
１．クッション性を有する吸音材・断熱材が貼り付けられた壁面に、配管・配線を配設支持する配管支持具を前記吸音材・断熱材の厚みを考慮した状態で取付けるための配管支持具用台座において、
配管支持具用台座が、
ボルトやネジの如き固定手段により壁面に固定される固定板と、該固定板から立設する支持筒体と、を有する壁面固定部と、
配管支持具が載置状態で固定されるフランジ板と、該フランジ板から垂設するスライド筒体と、を有する配管支持具固定部と、
を有し、
前記支持筒体、前記スライド筒体、の構成が、
（１）前記支持筒体が正多角形筒体であると共に、前記スライド筒体が正円筒体であり、前記支持筒体の内側にスライド筒体が重層状態で挿通され、スライド筒体の外周面が支持筒体を構成する多角形筒体の各面の中心線部分に外接する構成、
又は、
（２）前記スライド筒体が正多角形筒体であると共に、前記支持筒体が正円筒体であり、前記スライド筒体の内側に支持筒体が重層状態で挿通され、支持筒体の外周面がスライド筒体を構成する多角形筒体の各面の中心線部分に外接する構成、
のいずれかであり、
前記フランジ板の高さ位置が前記吸音材・断熱材の表面と略同等高さとなるように前記支持筒体に対して前記スライド筒体が高さ調節可能にスライドする構成であり、
前記支持筒体と前記スライド筒体の内、内側に挿通される正円筒体の外周面であって筒体長さ方向の少なくとも一部の円周の略全域に亘って円環状の凸部又は凹部から成る係止部が設けられ、外側となる正多角形筒体の各面の内側であって前記係止部に接する筒体長さ方向の中心線部分に沿って前記係止部を係止する凹部又は凸部から成る被係止部が設けられており、
前記支持筒体に対して前記スライド筒体を、前記吸音材・断熱材の厚みに応じて厚み方向に摺動移動させて任意の位置まで移動させることにより、前記吸音材・断熱材の表面と略同等高さに配管支持具を取付けることを可能とする構成であること、
を特徴とする配管支持具用台座。
【０００９】
２．前記正多角形筒体が、正三角形筒体、正四角形筒体、正五角形筒体、正六角形筒体、正八角形筒体のいずれかであることを特徴とする上記１に記載の配管支持具用台座。
【００１０】
３．前記係止部の凸部が、前記支持筒体又は前記スライド筒体に環状ワッシャーや環状パッキンの如き環状の他部材を取付固定して形成された構成であることを特徴とする上記１又は２に記載の配管支持具用台座。
【００１１】
４．前記係止部及び／又は被係止部の凸部が、前記支持筒体又は前記スライド筒体にネジ頭やナットの如き他部材を取付固定して形成された構成であることを特徴とする上記１又は２に記載の配管支持具用台座。
【００１２】
５．前記係止部及び／又は被係止部の凸部が、前記支持筒体又は前記スライド筒体の一部を突出状態に突起加工して形成された構成であることを特徴とする上記１又は２に記載の配管支持具用台座。
【００１３】
６．前記係止部及び／又は被係止部の凸部が、前記支持筒体又は前記スライド筒体の一部を切起して形成された構成であることを特徴とする上記１又は２に記載の配管支持具用台座。
【００１４】
７．前記係止部及び／又は被係止部の凹部が、前記支持筒体又は前記スライド筒体の一部を凹状に凹ませて形成された構成であることを特徴とする上記１又は２に記載の配管支持具用台座。
【００１５】
８．前記係止部及び／又は被係止部の凹部が、前記支持筒体又は前記スライド筒体の一部を切削して形成された構成であることを特徴とする上記１又は２に記載の配管支持具用台座。
【発明の効果】
【００１６】
請求項１に示す発明によれば、壁面に貼り付けられる吸音材・断熱材が様々な厚みに設定された場合であっても対応可能な配管支持具用台座を提供することができる。
【００１７】
特に、壁面固定部に対して配管支持具固定部が高さ調節可能な構成を有するので、吸音材・断熱材の厚みに応じて高さを適宜設定することにより配管支持具を取付固定するフランジ板を前記吸音材・断熱材の表面と略同等高さとすることができる。
また、壁面固定部の支持筒体に対して、配管支持具固定部のスライド筒体が高さ調節可能に重層する構成を有するので、壁面固定部に対して配管支持具を安定した状態で取り付けられる。従って、配管支持具固定部のフランジ板に載置固定される配管支持具を安定した状態で取り付けることができるので、壁面に沿って配管・配線を安定した状態で支持固定することができる。
更に、本発明の被係止部に係止部を係止させる構成によって耐振（耐震）性の向上、及びぐらつきの抑制効果が期待できる。
【００１８】
請求項２に示す発明によれば、内側に挿通される正円筒体の外周面が複数箇所において均等に正多角形筒体の内側の各面の中心線部分に外接することにより、係止部と被係止部との係止が複数箇所において均等に係止される構成となるため、支持筒体とスライド筒体とを安定した状態での高さ設定が可能である。従って、高さ調節が容易である。
【００１９】
請求項３に示す発明によれば、他の部材としてワッシャーやパッキン等の入手や加工が容易な一般的な部材から成るので、低コストで容易に加工可能である。
【００２０】
請求項４に示す発明によれば、他の部材としてネジ頭やナット等の入手や加工が容易な一般的な部材から成るので、低コストで容易に加工可能である。
【００２１】
請求項５に示す発明によれば、凸部から成る係止部及び／又は被係止部が別部材を用いることなく部材の一部を突起加工して形成された構成を有するので、低コストで容易に加工可能である。
【００２２】
請求項６に示す発明によれば、凸部から成る係止部及び／又は被係止部が別部材を用いることなく部材の一部を切起し形成された構成を有するので、低コストで容易に加工可能である。
【００２３】
請求項７に示す発明によれば、凹部から成る係止部及び／又は被係止部が別部材を用いることなく部材の一部を凹状に凹ませて形成された構成を有するので、低コストで容易に加工可能である。
【００２４】
請求項８に示す発明によれば、凹部から成る係止部及び／又は被係止部が別部材を用いることなく部材の一部を凹状に切削して形成された構成を有するので、低コストで容易に加工可能である。
【図面の簡単な説明】
【００２５】
【図１】本発明に係る配管支持具用台座の一実施例を示す５面図（正面図、平面図、底面図、左側面図、Ａ−Ａ線断面図。背面図は正面図と、右側面図は左側面図と、夫々対称のため省略。）
【図２】図１に示す配管支持具用台座の壁面固定部の５面図（正面図、平面図、底面図、左側面図、Ｂ−Ｂ線断面図。背面図は正面図と、右側面図は左側面図と、夫々対称のため省略。）
【図３】図１に示す配管支持具用台座の配管支持具固定部の５面図（正面図、平面図、底面図、左側面図、Ｃ−Ｃ線断面図。背面図は正面図と、右側面図は左側面図と、夫々対称のため省略。）
【図４】図１に示す配管支持具用台座の使用状態の一例を示す概略説明図
【図５】凸部から成る係止部及び／又は被係止部の他の例を示す要部断面図
【図６】凸部から成る係止部及び／又は被係止部の更に他の例を示す要部断面図
【図７】凹部から成る係止部及び／又は被係止部の一例を示す要部断面図
【図８】凹部から成る係止部及び／又は被係止部の他の例を示す要部断面図
【発明を実施するための形態】
【００２６】
次に、添付の図面に従って本発明を詳細に説明する。
【００２７】
本発明に係る配管支持具用台座（以下、単に台座ということもある。）は、クッション性を有する吸音材・断熱材が貼り付けられた壁面に、配管・配線を配設支持する配管支持具を前記吸音材・断熱材の厚みを考慮した状態で取付けるためのものである。
【００２８】
本発明の配管支持具用台座１の具体的構成としては、図１〜図４に示す実施例によれば、
クッション性を有する吸音材・断熱材５が貼り付けられた壁面４に、配管・配線Ｐを配設支持する配管支持具６を前記吸音材・断熱材５の厚みを考慮した状態で取付けるための構成において、
台座１が、
ボルトやネジの如き固定手段７により壁面に固定される固定板２１と、該固定板２１から立設する支持筒体２２と、を有する壁面固定部２と、
配管支持具６が載置状態で固定されるフランジ板３１と、該フランジ板３１から垂設するスライド筒体３２と、を有する配管支持具固定部３と、
を有し、
前記支持筒体２２、前記スライド筒体３２、の構成が、
前記支持筒体２２が正四角形筒体であると共に、前記スライド筒体３２が正円筒体であり、前記支持筒体２２の内側にスライド筒体３２が重層状態で挿通され、スライド筒体３２の外周面が支持筒体２２を構成する四角形筒体の４つの各面の中心線部分に外接する構成であり、
前記フランジ板３１の高さ位置が前記吸音材・断熱材５の表面と略同等高さとなるように前記支持筒体２２に対して前記スライド筒体３２が高さ調節可能にスライドする構成であり、
内側に挿通される正円筒体であるスライド筒体３２の外周面であって筒体長さ方向の少なくとも一部の円周の略全域に亘って円環状の凸部から成る係止部３３が設けられ、外側となる正多角形筒体である支持筒体２２の４つの各面の内側であって前記係止部３３に接する筒体長さ方向の中心線部分に沿って該係止部３３を係合係止する凸部から成る被係止部２４が設けられており、
前記支持筒体２２に対して前記スライド筒体３２を、前記吸音材・断熱材５の厚みに応じて厚み方向に摺動移動させて任意の位置まで移動させて係止部３３を被係止部２４に係止させることにより、前記吸音材・断熱材５の表面と略同等高さに配管支持具６を取付けることを可能とする構成であること、
を主構成とするものである。
尚、図１〜図４において、符号２５は固定板２１に穿かれて固定手段７が挿通される壁面固定用孔であり、符号３４はフランジ板３１に穿かれて配管支持具６を取付固定するためのボルト８が挿通螺合する配管支持具固定用孔であり、符号３５は壁面４に台座１を固定手段７によって固定する際に該固定手段７を緊締操作するためのドライバーの如き緊締具を挿通するためのドライバー挿通孔である。
【００２９】
以下、本発明の構成について更に詳説する。
【００３０】
配管支持具固定部３のスライド筒体３２に設けられた係止部３３は、該スライド筒体３２の外周面に設けられる円環状の凸部であるが、該凸部は本実施例では例えば別部材である環状部材（例えば、環状ワッシャーや環状パッキン等）を図１及び図３に示すようにスライド筒体３２の外周面に溶着や貼着等によって円環状に付加することにより設けられた凸部構成となっている。
【００３１】
壁面固定部２の支持筒体２２に設けられた被係止部２４は、図１及び図２に示すように、内側に挿通されるスライド筒体３２が構成する正円筒体の外周面が外接する部分、即ち、支持筒体２２が構成する正四角形筒体の４面の内側の各々が係止部３３に外接する中心線部分（円に外接する正確形の４辺の各々の筒体長さ方向の中心線部分）に沿って複数の凸部を筒体長さ方向（高さ方向）に並べた状態に設けられた構成を有する。本実施例では、被係止部２４は内側に突出するように支持筒体２の一部を突起加工して設けられている。
４つの各面の各々に中心線部分に並ぶ複数の被係止部２４が設けられることにより、正円筒体であるスライド筒体３２の外周面の円環状の係止部２４が４つの面において均等に正四角形筒体である支持筒体２２の４つの内側面の各々に設けられた被係止部２４に均等に係止される構成となる。かかる構成によって、支持筒体２２とスライド筒体３２とを安定した状態で所望の高さ位置になるまでスライド移動させた後、係止部３３を被係止部２４に係止するため、高さ調節が容易である。
【００３２】
上記構成を有する本発明の台座１は、ステンレス、亜鉛メッキ仕上げを施した鋳鉄鋼等の金属や、ポリプロピレン樹脂、ＡＢＳ樹脂等の合成樹脂等、この種の配管支持具として用いられる公知公用の材料から特別の制限なく形成されるものであるが、好ましくは重層状態で挿通される構成の支持筒体２２とスライド筒体３２は撓み性を有する構成であることが好ましい。
【００３３】
また、上記構成を有する本発明の台座１を用いる場合、図４に示すように、壁面４に貼られた吸音材・断熱材５に、該台座１が挿入可能な挿入穴を形成し、この挿入穴内に台座１を挿入し、固定板２１を壁面４にボルトやネジの如き固定手段７により固定する。
この挿入、固定の際、或いは挿入前に、前記吸音材・断熱材５の表面とフランジ板３１の位置が略同等高さとなるように、支持筒体２２に対してスライド筒体３２を摺動移動させる。この摺動移動によって高さを適宜設定することにより、配管支持具６を取付固定するフランジ板３１を前記吸音材・断熱材５の表面と略同等高さとすることができる。
固定板２１の壁面４への固定と、並びにフランジ板３１の高さ位置を吸音材・断熱材５の表面と略同等高さでの固定とが済んだ後、フランジ板３１に配管支持具６を載置し、ボルト８等によって取付固定する。
台座１に取付固定した配管支持具６に配管・配線Ｐを抱持支持させることによって、クッション性を有する吸音材・断熱材５が貼り付けられた壁面４に、配管・配線Ｐを配設支持することができる。
特に、被係止部２４に対して係止部３３を強い係合によって係止させる構成とした場合には、壁面固定部２と配管支持具固定部３とが強固に連結された状態となるので、壁面４に対して配管Ｐを支持した配管支持具６の高さ位置は変動することなく確実に支持固定されることになる。
また、被係止部２４に対して係止部３３を緩い状態でガタつきを許容させた状態で係止させる構成とした場合には、この緩い係止構成が配管Ｐの振動・震動（ウォーターハンマー現象、地震等の揺れ等）を吸収する緩衝機能を発揮することになる。特に、壁面４に取付けた際には本発明の台座１の周囲は吸音材・断熱材５に囲繞された状態となるので、配管Ｐが振動・震動した際には前記した緩い係止構成による緩衝機能に吸音材・断熱材５が有するクッション性が加わって二重の衝撃吸収機能を発揮するという相乗効果が生じることになる。
【００３４】
以上、本発明に係る配管支持具用台座の実施例について説明したが、本発明は上記構成に限定されず、本発明の範囲内において種々の態様を採ることができる。
【００３５】
例えば、上記実施例において、外側に位置する支持筒体２２は正四角形筒体であったが、本発明はかかる構成に限定されず、正四角形筒体以外の正多角形筒体、例えば、正三角形筒体、正五角形筒体、正六角形筒体、正八角形筒体のいずれかであってもよい。かかる他の正多角形筒体である場合、内側面に設けられる被係止部２４は、正三角形筒体の場合は３つの面の各面に少なくとも１つずつ設けられていればよいが、正五角形筒体と正六角形筒体の場合は５つ又は６つの面に対して１つ飛ばしの少なくとも３つの面に少なくとも１つずつ設けられていればよく、正八角形筒体の場合は８つの面に対して１つ飛ばしの４つの面に少なくとも１つずつ設けられていればよい。
【００３６】
また、上記実施例では、係止部３３が円環状の１つの凸部であったが、筒体の長さ方向（高さ方向）に２つ以上を設けてもよいし、凸部ではなく１つ又は２つ以上の円環状の凹部や、円環状の凸部と凹部との組合せであってもよい。また、係止部３３は切れ目の無い円環状部材である必要はなく、複数の凸部及び／又は凹条を円周の略全域に亘って配設するように形成した構成であってもよい。
【００３７】
また、上記実施例では、被係止部２４は複数の凸部を筒体長さ方向（高さ方向）に並べた構成であったが、複数の凹部を筒体長さ方向に並べて形成した構成であってもよい。
【００３８】
係止部３３（や被係止部２４）を凸部構成とする場合は、スライド筒体３２（又は支持筒体２２）の一部を切起し形成した構成（図５参照）とすることもできる。
また、係止部３３は、上記実施例のように他部材を付加した構成に限らず、上記実施例の被係止部２４のように突出状態に突起加工して形成した構成とすることもできる。
また、被係止部２４は、上記実施例のように支持筒体２４の一部を突出状態に突起加工して形成した構成に限らず、ネジ頭やナット等の他部材を取付固定して形成する構成（図６参照）とすることもできる。
更に、被係止部２４や係止部３３を凹部構成とする場合は、支持体２２又はスライド筒体３２の一部を叩き加工やプレス加工によって凹ませて形成した構成（図７参照）や、支持筒体２２又はスライド筒体３２の一部を切削して形成した構成（図８参照）とすることもできる。
【００３９】
また、上記実施例では、正円筒体のスライド筒体３２が正多角形筒体（正四角形筒体）の支持筒体２２の内側に重層状態で挿通される構成であったが、本発明はかかる構成に限定されず、支持筒体２２がスライド筒体３２の内側に重層状態で挿通される構成とすることもできる。この場合、外側に位置するスライド筒体３２が正多角形筒体となり、内側に挿通される支持筒体２２が正円筒体と成り、支持筒体２２の外周面に係止部が設けられ、スライド筒体３２の内側の各面に被係止部が設けられることになる。
【符号の説明】
【００４０】
１  配管支持具用台座
２  壁面固定部
２１  固定板
２２  支持筒体
２４  被係止部
２５  壁面固定用孔
３  配管支持具固定部
３１  フランジ板
３２  スライド筒体
３３  係止部
３４  配管支持具固定用孔
３５  ドライバー挿通孔
４  壁面
５  吸音材・断熱材
６  配管支持具
７  固定手段
８  ボルト
Ｐ  配管・配線
【図１】
2020051511.tif 000003
【図２】
2020051511.tif 000004
【図３】
2020051511.tif 000005
【図４】
2020051511.tif 000006
【図５】
2020051511.tif 000007
【図６】
2020051511.tif 000008
【図７】
2020051511.tif 000009
【図８】
2020051511.tif 000010